(57)【要約】【課題】  第一の固定接触子と第二の固定接触子と、上記の一対の固定接触子に離接する可動接触子と、上記接触子に対して一対の消弧室を有する回路遮断器において、機能部品の収納を容易にすると共に、組立性が良い回路遮断器を得る。【解決手段】  筐体１内の可動接触子８が固定接触子３，５から開離したときに生じるアークを消弧する消弧室２０において、電源側に配設された第一のグリッド群１４と、負荷側に配設された第二のグリッド群１５とを、消弧室側板１３により一体的に保持した。【選択図】図１
2005079023.tif 000002
【特許請求の範囲】
【請求項１】
一端に固定接点が設けられ他端が電源側の回路導体に接続された第一の固定接触子と、一端が上記第一の固定接触子の一端に対向して配置されると共に上記固定接点と同様の固定接点が設けられ他端が負荷側の回路導体に接続された第二の固定接触子と、両端に上記固定接点に対向して可動接点が設けられ上記第一の固定接触子と上記第二の固定接触子とを橋絡する可動接触子と、上記可動接触子に連結され上記可動接触子を上記第一の固定接触子と第二の固定接触子に離接させる開閉機構と、上記可動接触子の両端部分に近接して配設されこの可動接触子が上記固定接触子から開離したときに生じるアークをそれぞれ消弧する消弧室とを備えた回路遮断器において、上記消弧室は、複数枚の消弧用グリッドからなり、上記第一の固定接触子の固定接点部分とその固定接点部分に対向する可動接点部分の近傍に配置される第一のグリッド群と、上記第二の固定接触子の固定接点部分とその固定接点部分に対向する可動接点部分の近傍に配置される第二のグリッド群とを絶縁シートで形成された消弧室側板により一体的に保持したものであることを特徴とする回路遮断器。
【請求項２】
一端に固定接点が設けられ他端が電源側の回路導体に接続された第一の固定接触子と、一端が上記第一の固定接触子の一端に対向して配置されると共に上記固定接点と同様の固定接点が設けられ他端が負荷側の回路導体に接続された第二の固定接触子と、両端に上記固定接点に対向して可動接点が設けられ上記第一の固定接触子と上記第二の固定接触子とを橋絡する可動接触子と、上記可動接触子に連結され上記可動接触子を上記第一の固定接触子と第二の固定接触子に離接させる開閉機構と、上記可動接触子の両端部分に近接して配設されこの可動接触子が上記固定接触子から開離したときに生じるアークをそれぞれ消弧する消弧室とを備えた回路遮断器において、上記消弧室は、複数枚の消弧用グリッドとこの消弧用グリッドに近接する冷却板からなり、上記第一の固定接触子の固定接点部分とその固定接点部分に対向する可動接点部分の近傍に配置される第一の冷却板付グリッド群と、上記第二の固定接触子の固定接点部分とその固定接点部分に対向する可動接点部分の近傍に配置される第二の冷却板付グリッド群とを絶縁シートで形成された消弧室側板により一体的に保持したものであることを特徴とする回路遮断器。
【請求項３】
上記消弧室側板は、第一の固定接触子の固定接点部分とその固定接点部分に対向する可動接点部分、及び、第二の固定接触子の固定接点部分とその固定接点部分に対向する可動接点部分を囲むように絶縁シートを折り曲げて枠状に形成されたものであることを特徴とする請求項１又は２に記載の回路遮断器。
【請求項４】
上記第一の冷却板付グリッド群の冷却板と上記第二の冷却板付グリッド群の冷却板が一体的に形成されたものであることを特徴とする請求項２に記載の回路遮断器。
【請求項５】
上記第一のグリッド群の消弧用グリッドと上記第二のグリッド群の消弧用グリッドのいずれか一方の大きさを、他方の大きさよりも小さくしたことを特徴とする請求項１ないし請求項４のいずれか１項に記載の回路遮断器。
【発明の詳細な説明】
【技術分野】
【０００１】
この発明は、一端に固定接点が設けられ他端が電源側の回路導体に接続された第一の固定接触子と、一端が上記第一の固定接触子の一端に対向して配置されると共に上記固定接点と同様の固定接点が設けられ他端が負荷側の回路導体に接続された第二の固定接触子と、
この一対の固定接触子に離接する可動接触子を有し、この可動接触子の離接により電路を開閉するようになされた回路遮断器において、特に、大電流遮断時に生じるアークを消弧させるために一対の消弧室を有する回路遮断器に関するものである。
【背景技術】
【０００２】
従来の回路遮断器においては、ケース内に、電源側端子に一端が接続され、他端に固定接点が設けられた固定接触子と、負荷側端子に一端が接続され、他端に固定接点が設けられた固定接触子とを配設し、両端に可動接点が設けられ、上記電源側と負荷側固定接触子の固定接点間を橋絡又は開離する可動接触子を有している。また、この可動接触子の橋絡又は開離により各極の電路を開閉するための開閉機構と共に、周知の過電流引外し装置を有している。更に、固定接点と可動接点の間に発生するアークを消弧するための消弧室が設けられているが、この消弧室は各極毎に上記電源側と負荷側の両固定接触子の近傍にそれぞれ配設されている。
【０００３】
以上のように構成された回路遮断器に流れる電流は電源側の固定接触子、可動接触子、負荷側の固定接触子、を介して過電流引外し装置に流れ、この電流が大電流になると、過電流引外し装置が作動して開閉機構がトリップ動作し、可動接触子が固定接触子から開離して電路が開路する。この時、固定接点と可動接点間にはアークが発生し、このアークは一対の消弧室でそれぞれ冷却されて消弧される。（例えば、特許文献１参照）。
【０００４】
【特許文献１】特開２００１−２２９８００号公報（図３）
【発明の開示】
【発明が解決しようとする課題】
【０００５】
従来の回路遮断器は以上のように構成されており、多極回路遮断器の場合、アーク発生箇所が各極毎に２箇所に分離されているので、各極毎に独立した２つの消弧室が必要になっていた。従って、消弧室が占めるスペースが大きいため、ケース内の他の機能部品の収納に制約を生じることがあり、更に、各極毎に２つの消弧室をそれぞれ所定の位置に設置する必要があるので、回路遮断器の組立性が悪くなるなどの課題があった。
【０００６】
この発明は、上述のような課題を解決するためになされたもので、回路遮断器の内部の機能部品の収納を容易にすると共に、組立性が良い回路遮断器を得ることを目的とするものである。
【課題を解決するための手段】
【０００７】
この発明に係る回路遮断器においては、一端に固定接点が設けられ他端が電源側の回路導体に接続された第一の固定接触子と、一端が上記第一の固定接触子の一端に対向して配置されると共に上記固定接点と同様の固定接点が設けられ他端が負荷側の回路導体に接続された第二の固定接触子と、両端に上記固定接点に対向して可動接点が設けられ上記第一の固定接触子と上記第二の固定接触子とを橋絡する可動接触子と、上記可動接触子に連結されこの可動接触子を第一の固定接触子と第二の固定接触子に離接させる開閉機構と、上記可動接触子の両端部分に近接して配設されこの可動接触子が上記固定接触子から開離したときに生じるアークをそれぞれ消弧する消弧室とを備えた回路遮断器において、上記消弧室は、複数枚の消弧用グリッドからなり、上記第一の固定接触子の固定接点部分とその固定接点部分に対向する可動接点部分の近傍に、複数枚の消弧用グリッドを配置して構成される第一のグリッド群と、上記第二の固定接触子の固定接点部分とその固定接点部分に対向する可動接点部分の近傍に、上記と同様に複数枚の消弧用グリッドを配置して構成される第二のグリッド群の両グリッド群を、絶縁シートで形成された消弧室側板により一体的に保持したものである。
【発明の効果】
【０００８】
この発明は、消弧室を、第一の固定接触子の近傍に配設された第一のグリッド群と、第二の固定接触子の近傍に配設された第二のグリッド群と、第一のグリッド群と第二のグリッド群とを一体的に保持する消弧室側板とにより構成させたので、回路遮断器の内部に収納する機能部品の収納に際し、消弧室に関係した制約が少なくなる。また、各極毎に一つの消弧室を設置する構成になるので、組立性が良い回路遮断器を得ることができる。
【発明を実施するための最良の形態】
【０００９】
実施の形態１．
図１はこの発明の実施の形態１における回路遮断器１００の側面を示す断面図、図２は図１の回路遮断器を構成する消弧室の外観図で（ａ）は平面図、（ｂ）は側面図、図３は図２の消弧室を構成する消弧用グリッドの平面図、図４は図２の消弧室を構成する冷却板の平面図、図５は図２の消弧室を構成する消弧室側板の斜視図である。
【００１０】
図１において、回路遮断器１００の筐体１内には、一端に固定接点２が設けられ他端が電源側の回路導体３ａに接続された第一の固定接触子３と、一端が第一の固定接触子３の一端に対向して配置されると共に固定接点２と同様の固定接点４が設けられ他端が負荷側の回路導体５ａに接続された第二の固定接触子５が設けてある。また、両端に上記の固定接点２，４に対向して可動接点６，７が設けられ、第一の固定接触子３と第二の固定接触子５との間を橋絡又は開離する可動接触子８が設けてある。これらの構成は、三極の回路遮断器の場合には、各極にそれぞれ設けてある。また、上記の第一の固定接触子３と第二の固定接触子５との間を橋絡又は開離するための開閉機構９が可動接触子８に連結されている。なお、可動接触子８には、第一の固定接触子３及び第二の固定接触子５から開離させる方向に付勢する接触スプリング１２が設けてある。
【００１１】
回路遮断器１００としては、過電流が流れたときに動作して開閉機構９を動作させる過電流検出部１１が設けてあるが、開閉機構９に対する連結の機構は本願発明の要旨に無関係のため図示を省略してある。また、筐体１には消弧室１０（後述）に発生したアークを外部に排出させるためのアークガス排出口１ａが設けてある。このアークガス排出口１ａは、電源側に設けるように図示されているが、必要に応じて負荷側にも設けることがある。
【００１２】
図２から図５において、消弧室１０は例えばファイバ板のような絶縁シートを折り曲げてＣ字形の枠状に形成された消弧室側板１３と、図１に示すように、上記の消弧室側板１３により、側面から見て対称的に保持された第一のグリッド群１４と第二のグリッド群１５、及び、第一のグリッド群１４と第二のグリッド群１５に対して夫々近接して配設された金属材料からなる第一の冷却板１６と第二の冷却板１７とにより構成されている。
【００１３】
第一のグリッド群１４、第二のグリッド群１５は夫々複数枚の消弧用グリッド１８，１９があらかじめ設定した間隔で上下に積層支持されて形成されており、消弧用グリッド１８，１９の凸部１８ａ，１９ａが消弧室側板１３の係止孔１３ａに嵌挿されて保持され、同様にして第一の冷却板１６および第二の冷却板１７の凸部１６ａ，１７ａが消弧室側板１３の係止孔１３ｂに嵌挿されて保持されることにより、消弧室１０を構成している。
なお、消弧室側板１３には消弧室１０内のアークガスを消弧室１０の外に排出するためのアークガス排出孔１３ｃが配設されている。
【００１４】
以上のように構成された回路遮断器１００は、短絡電流などの大電流が電源側の回路導体３ａから、第一の固定接触子３、可動接触子８、第二の固定接触子５、負荷側の回路導体５ａを介して過電流検出部１１に流れると、過電流検出部１１の作用により開閉機構９が動作し、可動接触子８は接触スプリング１２に抗して開離し、このとき固定接点２，４と可動接点６，７間にアークが発生する。
【００１５】
固定接点２，４と可動接点６，７間に発生したアークは、第一のグリッド群１４及び、第二のグリッド群１５の働きによりアークを引き伸ばし、消弧室１０内で速やかに消弧される。この時、消弧室１０内に発生したアークガスは第一の冷却板１６および第二の冷却板１７により冷却されながら、換気孔１３ｃ、アークガス排出口１ａを介して、回路遮断器１００の外部に排出される。
【００１６】
以上のように、発明の実施の形態１における回路遮断器は、電源側の第一のグリッド群１４と負荷側の第二のグリッド群１５とを消弧室側板１３により一体的に保持したので、消弧室１０自体の強度が高くなると共に、スペースを小さくできるので筐体１内の他の機能部品の収納が容易である。また、消弧室側板１３は、例えばファイバ板のような絶縁シートを折り曲げてＣ字形の枠状に形成したので、第一のグリッド群１４と第二のグリッド群１５は別々に嵌挿・保持の作業を行うことができる。従って、消弧室１０の組立作業性が向上する。さらにまた、第一の冷却板１６および第二の冷却板１７が配設されているので、アークガスの冷却作用が大きくなり、消弧室１０内が高温になり難いので固定接点２，４及び可動接点６，７の耐久性が向上する。
【００１７】
なお、上記の構成において、消弧室側板１３は絶縁シートを折り曲げてＣ字形の枠状に形成したものを示したが、第一のグリッド群１４と第二のグリッド群１５を一体化する構成としては、２枚の絶縁シートを用いてグリッド群１４，１５を両側から挟持するように構成してもよい。また、グリッド群１４，１５自体も冷却板と同様の作用を行うので、グリッド群１４，１５の構成によっては、冷却板１６，１７を省略することも可能である。
【００１８】
実施の形態２．
図６はこの発明の実施の形態２における回路遮断器１０１の側面を示す断面図、図７は図６の回路遮断器を構成する消弧室の外観図で（ａ）は平面図、（ｂ）は側面図、図８は図６の消弧室を構成する冷却板の平面図である。
【００１９】
図６において、回路遮断器１０１の筐体１内には、一端に固定接点２が設けられ他端が電源側の回路導体３ａに接続された第一の固定接触子３と、一端が第一の固定接触子３の一端に対向して配置されると共に固定接点２と同様の固定接点４が設けられ他端が負荷側の回路導体５ａに接続された第二の固定接触子５が設けてある。また、両端に上記の固定接点２，４に対向して可動接点６，７が設けられ、第一の固定接触子３と第二の固定接触子５との間を橋絡又は開離する可動接触子８が設けてある。また、上記の第一の固定接触子３と第二の固定接触子５との間を橋絡又は開離するための開閉機構９が可動接触子８に連結されている。なお、可動接触子８には、第一の固定接触子３及び第二の固定接触子５から開離させる方向に付勢する接触スプリング１２が設けてある。さらに、回路遮断器１０１としては、過電流が流れたときに動作して開閉機構９を動作させる過電流検出部１１が設けてある。また、筐体１には消弧室２０（後述）に発生したアークを外部に排出させるためのアークガス排出口１ａが設けてある。これらの構成は、前記の実施の形態１と同様であるため詳細な説明を省略する。
【００２０】
消弧室２０は例えばファイバ板のような絶縁シートを折り曲げて四角形の枠状に形成された消弧室側板２１と、図６に示すように、上記の消弧室側板２１により、側面から見て対称的に保持された第一のグリッド群１４と第二のグリッド群１５、及び、第一のグリッド群１４と第二のグリッド群１５の近傍に配設された金属材料からなる冷却板２２により構成されている。この場合、冷却板２２は凸部２２ａが消弧室側板２１の係止孔２１ａに嵌挿されて保持されている。この冷却板２２は、第一のグリッド群１４と第二のグリッド群１５に対して一体的に形成されている。なお、第一のグリッド群１４と第二のグリッド群１５を消弧室側板２１の係止孔２１ｂに嵌装保持する構成は、前記の実施の形態１と同様であるため説明を省略する。この構成によれば、一体的に形成された冷却板２２が配設されているので、消弧室２０自体の強度が高くなると共に、アークガスの冷却効果が大きくなるので消弧室２０内の高温化が抑制され、固定接点２，４及び可動接点６，７の耐久性と共に回路遮断器の内部の機構についても焼損などの問題点が抑制される。なお、冷却板２２の中央部に設けられた貫通孔２２ｂは、開閉機構９を可動接触子８に連結するための連結部材を挿通させるための孔である。
【００２１】
実施の形態３．
次に、図７に示す消弧室２０に関し、上記実施の形態２の説明と異なる実施の形態について説明する。即ち、実施の形態１及び実施の形態２においては、第一のグリッド群１４と第二のグリッド群１５を構成する複数枚の消弧用グリッド１８，１９は、夫々同じ大きさの消弧用グリッドになされている。これに対してこの実施の形態のものは、消弧用グリッド１９の大きさを消弧用グリッド１８の大きさよりも小さく形成されている。小さくした場合、その消弧用グリッド１９により構成された第二のグリッド群１５の消弧作用が低下するが、この点は、第一のグリッド群１４側で消弧作用を行う電流よりも、第二のグリッド群１５側で消弧作用を行う電流を小さくすることにより解決できる。即ち、例えば、第一のグリッド群１４側の固定接点２と可動接点６の開離のタイミングが、第二のグリッド群１５側の固定接点４と可動接点７の開離のタイミングよりも僅かに早くなるように可動接触子８の動作あるいは第一の固定接触子３と第二の固定接触子５の構成などの設定によりなされる。この設定によれば、第一のグリッド群１４側の固定接点２と可動接点６の開離により、開離する短絡電流が限流されるので、第二のグリッド群１５側の固定接点４と可動接点７を開離したときの電流は小さくなる。この作用により、消弧用グリッド１９の大きさを消弧用グリッド１８の大きさよりも小さく設定できる。
【００２２】
この構成によれば、負荷側の第二のグリッド群１５は電源側の第一のグリッド群１４に比較し、小形に形成されているので、消弧室２０自体のスペースが小さくなり筐体１内の他の機能部品の収納が容易である。なお、回路遮断器の内部の構成によっては、電源側の第一のグリッド群１４を負荷側の第二のグリッド群１５に比較して小形に形成することも可能である。また、消弧室側板２１は、開閉機構９を可動接触子８に連結するための機構の関係、あるいは、アークガスの排出路などの関係から、Ｃ字形の枠状にするか、四角形の枠状に形成するか選択することになるが、この発明の要旨に直接関係するものではないので詳細な説明を省略する。
【図面の簡単な説明】
【００２３】
【図１】この発明の実施の形態１における回路遮断器の側面を示す断面図である。
【図２】図１の回路遮断器を構成する消弧室の外観図で（ａ）は平面図、（ｂ）は側面図である。
【図３】図２の消弧室を構成するグリッドの平面図である。
【図４】図２の消弧室を構成する第一の冷却板，第二の冷却板の平面図である。
【図５】図２の消弧室を構成する消弧室側板の斜視図である。
【図６】この発明の実施の形態２における回路遮断器の側面を示す断面図である。
【図７】図６の回路遮断器を構成する消弧室の外観図で（ａ）は平面図、（ｂ）は側正面図である。
【図８】図７の消弧室を構成する冷却板の平面図である。
【符号の説明】
【００２４】
２，４  固定接点、３  第一の固定接触子、５  第二の固定接触子、
６，７  可動接点、    ８  可動接触子、９  開閉機構、１０，２０  消弧室、
１３  消弧室側板、    １４  第一のグリッド群、１５  第二のグリッド群、      
１６  第一の冷却板、１７  第二の冷却板、１８，１９  消弧用グリッド、        
１００，１０１  回路遮断器。
【図１】
2005079023.tif 000003
【図２】
2005079023.tif 000004
【図３】
2005079023.tif 000005
【図４】
2005079023.tif 000006
【図５】
2005079023.tif 000007
【図６】
2005079023.tif 000008
【図７】
2005079023.tif 000009
【図８】
2005079023.tif 000010